(57)【要約】      （修正有）【課題】記録装置内部のレイアウトの自由度を確保するとともに、各種用紙の搬送性を確保することができる記録装置を提供する。【解決手段】プリンターは、記録用紙を上方に搬送する記録搬送経路Ｒ１と、記録搬送経路Ｒ１を搬送される記録用紙に対してインクを吐出するインクジェット記録ヘッド８ａと、を備える。インクジェット記録ヘッド８ａは、記録搬送経路Ｒ１を搬送される記録用紙に対してインクを吐出する姿勢である第１の姿勢と、第１の姿勢におけるインクの吐出方向と交差する方向にインクの吐出が可能な姿勢である第２の姿勢と、を切り換え可能となっている。【選択図】図５
2016124242.tif 000002
【特許請求の範囲】
【請求項１】
媒体を載置する第１の媒体載置部と、
前記第１の媒体載置部から送り出された媒体を湾曲させて上方に搬送する第１の搬送経路と、
媒体を載置する、前記第１の媒体載置部とは異なる第２の媒体載置部と、
前記第２の媒体載置部から送り出された媒体を、前記第１の搬送経路とは交差する方向であって前記第２の媒体載置部から送り出された方向に搬送する第２の搬送経路と、
前記第１の搬送経路に搬送される媒体と対向可能な第１の姿勢と、前記第２の搬送経路に搬送される媒体と対向可能な第２の姿勢と、を切り換え可能に設けられた、媒体に対して液体を吐出する記録ヘッドと、
を備えることを特徴とする記録装置。
【請求項２】
請求項１に記載の記録装置において、前記第２の搬送経路において前記第２の姿勢の前記記録ヘッドと対向可能に構成された、媒体を支持する媒体支持部と、
前記第２の姿勢の前記記録ヘッドをメンテナンスするメンテナンス部と、
前記媒体支持部と前記メンテナンス部とを入れ替える移動機構と、
を備えることを特徴とする記録装置。
【請求項３】
請求項２に記載の記録装置において、前記メンテナンス部は、前記記録ヘッドをキャップ可能なキャップ手段を備える、
ことを特徴とする記録装置。
【請求項４】
請求項１から請求項３のいずれか一項に記載の記録装置において、前記記録ヘッドを前記第１の搬送経路に対し進退する方向にガイドする第１ガイド部と、
前記第１ガイド部と接続し、前記記録ヘッドの姿勢が前記第２の姿勢となる様に前記記録ヘッドをガイドする第２ガイド部と、を備える、
ことを特徴とする記録装置。
【請求項５】
請求項４に記載の記録装置において、前記第１ガイド部によって前記記録ヘッドが前記搬送経路に対し進退する動作を利用して、媒体の種類に応じて前記記録ヘッドと前記搬送経路との距離を変化させる、
ことを特徴とする記録装置。
【請求項６】
請求項１から請求項５のいずれか一項に記載の記録装置において、揺動支点を中心とした前記記録ヘッドの揺動により、前記記録ヘッドが前記第１の姿勢と前記第２の姿勢とを切り換える、
ことを特徴とする記録装置。
【発明の詳細な説明】
【技術分野】
【０００１】
本発明は、媒体を載置する媒体載置部から送り出された媒体を上方に搬送する搬送経路を備えた記録装置に関する。
【背景技術】
【０００２】
インクジェットプリンターなどに代表される記録装置において、特許文献１に示される様に、記録を行う際の用紙姿勢として鉛直方向に沿った姿勢を採用する場合、即ち用紙を上方向に搬送しながら記録を行う場合がある。このような装置を用いる場合には、搬送経路を水平方向の一方側に寄せることができ、記録装置内部においてレイアウトの自由度を確保することが可能である。
【先行技術文献】
【特許文献】
【０００３】
【特許文献１】特開２０１４−６５２９３号公報
【発明の概要】
【発明が解決しようとする課題】
【０００４】
しかしながら、特許文献１のように、用紙載置部にスタックされた用紙を湾曲させて上方向に搬送しながら記録を行い、記録後に湾曲させて排紙する経路であるため、専用紙や厚紙など、用紙を曲げたくない場合には不向きである。また、曲がった経路である為、紙ジャムの虞がある。
【０００５】
そこで本発明はこの様な状況に鑑み成されたものであり、その目的は、液体を吐出する記録ヘッドを備えた記録装置において、記録装置内部のレイアウトの自由度を確保するとともに、各種用紙の搬送性を確保することにある。
【課題を解決するための手段】
【０００６】
上記課題を解決する為の、本発明の第１の態様に係る記録装置は、媒体を載置する第１の媒体載置部と、前記第１の媒体載置部から送り出された媒体を湾曲させて上方に搬送する第１の搬送経路と、媒体を載置する、前記第１の媒体載置部とは異なる第２の媒体載置部と、前記第２の媒体載置部から送り出された媒体を、前記第１の搬送経路とは交差する方向であって前記第２の媒体載置部から送り出された方向に搬送する第２の搬送経路と、前記第１の搬送経路に搬送される媒体と対向可能な第１の姿勢と、前記第２の搬送経路に搬送される媒体と対向可能な第２の姿勢と、を切り換え可能に設けられた、媒体に対して液体を吐出する記録ヘッドを備えることを特徴とする。
【０００７】
本態様によれば、液体を吐出する記録ヘッドは、前記第１の搬送経路を搬送される媒体と対向可能な姿勢である第１の姿勢と、前記第２の搬送経路を搬送される媒体と対向可能な姿勢である第２の姿勢と、を切り換え可能に設けられているので、前記第１の搬送経路から離れたスペースを有効活用することができる。そして前記第２の搬送経路は、前記第２の媒体載置部から送り出された方向に媒体を搬送する搬送経路であるので、剛性の高い媒体や湾曲させたくない媒体などを適切に搬送することができる。
【０００８】
本発明の第２の態様は、第１の態様において、前記第２の搬送経路において前記第２の姿勢の前記記録ヘッドと対向可能に構成された、媒体を支持する媒体支持部と、前記第２の姿勢の前記記録ヘッドをメンテナンスするメンテナンス部と、前記媒体支持部と前記メンテナンス部とを入れ替える移動機構とを備えることを特徴とする。
【０００９】
本発明の第３の態様は、第２の態様において、前記メンテナンス部は、前記記録ヘッドをキャップ可能なキャップ手段を備えることを特徴とする。
【００１０】
本発明の第４の態様は、第１から第３の態様のいずれかにおいて、前記記録ヘッドを前記第１の搬送経路に対し進退する方向にガイドする第１ガイド部と、前記第１ガイド部と接続し、前記記録ヘッドの姿勢が前記第２の姿勢となる様に前記記録ヘッドをガイドする第２ガイド部と、を備えることを特徴とする。  
本態様によれば、前記第１ガイド部と前記第２ガイド部とによって、安定して前記記録ヘッドの姿勢を切り換えることができる。
【００１１】
本発明の第５の態様は、第４の態様において、前記第１ガイド部によって前記記録ヘッドが前記搬送経路に対し進退する動作を利用して、媒体の種類に応じて前記記録ヘッドと前記搬送経路との距離を変化させることを特徴とする。
【００１２】
本態様によれば、前記第１ガイド部によって前記記録ヘッドが前記搬送経路に対し進退する動作を利用して、媒体の種類に応じて前記記録ヘッドと前記搬送経路との距離を変化させるので、前記距離を変化させる構成を別途設ける必要がなく、装置の簡素化と低コスト化を図ることができる。
【００１３】
本発明の第６の態様は、第１から第５の態様のいずれかにおいて、揺動支点を中心とした前記記録ヘッドの揺動により、前記記録ヘッドが前記第１の姿勢と前記第２の姿勢とを切り換えることを特徴とする。
【図面の簡単な説明】
【００１４】
【図１】本発明に係るインクジェットプリンターの用紙搬送経路を示す側断面図。
【図２】本発明に係るインクジェットプリンターの用紙搬送経路を示す側断面図。
【図３】本発明に係るインクジェットプリンターの用紙搬送経路を示す側断面図。
【図４】本発明に係るインクジェットプリンターの用紙搬送経路を示す側断面図。
【図５】本発明に係るインクジェットプリンターの用紙搬送経路を示す側断面図。
【図６】本発明に係るインクジェットプリンターの用紙搬送経路を示す側断面図。
【図７】（Ａ）、（Ｂ）はガイドレール及び被ガイド部の構造を模式的に示す図。
【図８】本発明に係るインクジェットプリンターの用紙搬送経路を示す側断面図。
【図９】本発明に係るインクジェットプリンターの用紙搬送経路を示す側断面図。
【図１０】本発明に係るインクジェットプリンターの用紙搬送経路を示す側断面図。
【図１１】本発明に係るインクジェットプリンターの用紙搬送経路を示す側断面図。
【図１２】（Ａ）はプラテンの進退機構を示す模式図、（Ｂ）はキャップユニットの進退機構を示す模式図。
【図１３】本発明に係るインクジェットプリンターの用紙搬送経路を示す側断面図。
【図１４】本発明に係るインクジェットプリンターの用紙搬送経路を示す側断面図。
【図１５】他の実施形態に係るインクジェットプリンターの用紙搬送経路を示す側断面図。
【発明を実施するための形態】
【００１５】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１６】
図１乃至図６、図８乃至図１１、図１３、図１４、図１５は本発明に係る「記録装置」の一実施形態であるインクジェットプリンター（以下「プリンター」と言う）１の用紙搬送経路を示す側断面図、図７（Ａ）、（Ｂ）はガイドレール４４及び被ガイド部４５の構造を模式的に示す図、図１２（Ａ）はプラテン３７の進退機構を示す模式図、図１２（Ｂ）はキャップユニット４０の進退機構を示す模式図である。
【００１７】
以下、図１を参照しつつ媒体の一例としての記録用紙にインクジェット記録を行うプリンター１の全体構成について概説する。  
プリンター１は、記録用紙を上方に向けて搬送しながらインクジェット記録ヘッド８ａによって記録を行い、或いは、記録用紙を水平方向に向けて搬送しながらインクジェット記録ヘッド８ａによって記録を行う構成を備えている。記録の行われた記録用紙は、直近に記録が行われた記録面を下にしてフェイスダウン排紙トレイ４に向けて排出されるか（フェイスダウン排出軌跡Ｔ２参照）、或いは、直近に記録が行われた記録面を上にして排出トレイ５９に向けて排出される。
【００１８】
以下、更に用紙搬送経路について詳説する。プリンター１は、装置底部に設けられた「第１の媒体載置部」としての用紙カセット１０Ａからの用紙給送経路（カセット給送軌跡Ｓ１参照）と、図１では図示を省略する、装置下側に選択的に装着される増設カセットからの用紙給送経路（増設カセット給送軌跡Ｓ２参照）と、「第２の媒体載置部」としての手差しトレイ５２からの給送経路（手差し給送経路Ｓ３参照）と、のこれら３つの用紙給送経路を有している。
【００１９】
そして給送された記録用紙の搬送経路として、プリンター１は以下の複数の搬送経路を備えている。即ちプリンター１は、記録搬送経路Ｒ１、スイッチバック経路Ｒ２、反転経路Ｒ３、フェイスダウン排出経路Ｒ４、ストレート搬送排出経路Ｒ５、のこれら複数の用紙搬送経路を備えている。
【００２０】
尚、装置側面には開閉カバー６が設けられており、当該開閉カバー６は、揺動軸６ａを中心に図１の時計回り方向及び反時計回り方向に揺動可能であり、揺動することにより、後述する反転経路Ｒ３を開放する（詳しくは後述）。  
プリンター１は開閉カバー６が設けられた側が装置右側面となる。即ちプリンター１における用紙の給送と排出は、装置左右方向に沿って行われる。また、図１の紙面表側が装置前方側（ユーザー操作側）、紙面裏側が装置後方（背面）側となる。
【００２１】
尚、手差しトレイ５２は開閉カバー６と重なるように配置（開閉カバー６に形成された開口部内に配置）されているとともに、開閉カバー６とは独立して開閉可能に設けられている。符号５２ａは揺動軸であり、揺動軸５２ａを中心に揺動することにより、直立した収納姿勢（不図示）と、展開姿勢（図１）とを切り換え可能となっている。
【００２２】
続いて、用紙カセット１０Ａからの用紙給送経路を説明する。装置本体に着脱可能に設けられる用紙カセット１０Ａはホッパー１１を備えており、ホッパー１１が軸１１ａを中心に揺動することでより、用紙カセット１０Ａに収容された記録用紙Ｐが、図示しないモーターにより回転駆動される給送ローラー１２に対し接離する。
【００２３】
給送ローラー１２により用紙カセット１０Ａから送り出された記録用紙Ｐは、分離ローラー対１３によるニップ位置を通過することで分離（重送防止）され、搬送ローラー対１４からの送り力を受けてレジストローラー対１７に到達する。  
尚、搬送ローラー対１４からレジストローラー対１７に至る搬送経路には経路切り換えを行うフラップ５３が設けられているが、これについては後に詳述する。
【００２４】
手差しトレイ５２を介して供給される記録用紙は、給送ローラー１５からの送り力を受けて記録搬送経路Ｒ１またはストレート搬送排出経路Ｒ５へと送られる。尚、給送ローラー１５は不図示のモーターにより回転駆動されるローラーである。分離ローラー１６は所定の回転抵抗が付与された状態に設けられるローラーであって用紙等の被搬送媒体と接して従動回転可能であり、給送ローラー１５との間で記録用紙をニップすることで、記録用紙を分離する。
【００２５】
続いて、図２をも参照しつつレジストローラー対１７より下流の用紙搬送経路について説明する。尚、図２では記録用紙Ｐがフェイスダウン排出経路Ｒ４を介してフェイスダウン排出されることを前提に説明する。
【００２６】
先ず、用紙搬送経路に設けられたローラーについて説明する。図２において符号１７はレジストローラー対、符号２０〜２６は全て記録用紙を搬送する搬送ローラー対を示しており、特に搬送ローラー対２０〜２６の一方側のローラーは符号Ｆで示され、他方側のローラーは符号Ｇで示される。ローラーＦは不図示のモーターにより駆動される駆動ローラーであり、一例として用紙幅方向に適宜の間隔を置いて複数設けられるゴムローラーである。
【００２７】
ローラーＧは記録用紙と接して従動回転する従動ローラーであり、用紙幅方向に適宜の間隔を置いて、ローラーＦと一対で設けられる。ローラーＧは外周に複数の歯を有するギザローラーであり、記録面に対して点接触することにより既記録面のインクの白ヌケや転着を抑制する。図２以外の他の図面に示されたローラーＧ、Ｆも同様である。  
尚、従動ローラーＧは、各搬送ローラー対を構成する以外にも、用紙搬送経路上の適宜の位置に設けられており、特に既記録面に接する側に設けられている。
【００２８】
一方、レジストローラー対１７については、上記搬送ローラー対２０〜２６とは構成が異なる。具体的には、レジストローラー対１７は、回転駆動される駆動ローラー１７ａと、従動回転可能な従動ローラー１７ｂとを備え、このうち従動ローラー１７ｂは、外周面が滑らかな樹脂ローラーである。  
給送される記録用紙Ｐはレジストローラー対１７の上流側の搬送ローラー対１４から送り力を受け、レジストローラー対１７に突き当てられ、スキューが矯正される。
【００２９】
上述した各ローラー間では、記録用紙は上下のガイド部材によって案内される。各図において図の煩雑化を避ける為、多くのガイド部材に符号は付していないが、各ローラー間を接続する太線が、上記ガイド部材を示している。尚、反転経路Ｒ３を構成するガイド部材については符号５０、５１を付しておりこれらガイド部材５０、５１については、後に説明する。
【００３０】
次に、記録搬送経路Ｒ１は、記録用紙に記録を行う記録部としてのインクジェット記録ヘッド８ａと対向する領域を通り、その上流側及び下流側に延びる。本実施例では便宜上、記録搬送経路Ｒ１は、レジストローラー対１７〜搬送ローラー対２０までの区間とする。  
この記録搬送経路Ｒ１において記録用紙は、搬送ベルト３３から送り力を受ける。
【００３１】
搬送ベルト３３は、従動回転する従動プーリー３５と、不図示のモーターにより回転駆動される駆動プーリー３４とに巻き回されており、駆動プーリー３４の回転によって、両プーリー間を回転する様になっている。  
搬送ベルト３３には不図示の電位付与手段によって所定の電位が付与されており、これにより記録用紙Ｐが搬送ベルト３３に吸着され、搬送ベルト３３からの浮き上がりが抑制された状態で、搬送される。
【００３２】
そして本実施例においてインクジェット記録ヘッド８ａは、インクを吐出するノズルが用紙幅方向全域をカバーする様に設けられた記録ヘッドであり、用紙幅方向への移動を伴わないで用紙幅全体に記録が可能な記録ヘッドとして構成されている。符号８は、インクジェット記録ヘッド８ａを備えるヘッドユニットを示している。  
尚、詳しくは後に説明するが、インクジェット記録ヘッド８ａ（ヘッドユニット８）は、実線で示す第１の姿勢と、仮想線（符号８ａ’、８’）で示す第２の姿勢と、を切り換え可能に設けられている。第１の姿勢では、インクはほぼ水平方向に吐出される。第２の姿勢では、インクはほぼ鉛直下方向に吐出される。
【００３３】
スイッチバック経路Ｒ２は、記録搬送経路Ｒ１と接続する搬送経路であって、インクジェット記録ヘッド８ａによる記録領域を通った記録用紙Ｐを送り込んだ後、スイッチバックさせて送り込み方向とは逆方向に搬送する経路であり、後述するフェイスダウン排出経路Ｒ４に対し湾曲の外側に位置している。
【００３４】
反転経路Ｒ３は、スイッチバック経路Ｒ２と接続する搬送経路であって、スイッチバック経路Ｒ２から送り込まれた記録用紙Ｐを湾曲反転させ、記録搬送経路Ｒ１におけるインクジェット記録ヘッド８ａの上流側位置（本実施例ではレジストローラー対１７の上流位置）で合流させる。
【００３５】
フェイスダウン排出経路Ｒ４は、記録搬送経路Ｒ１と接続する搬送経路であって、インクジェット記録ヘッド８ａによる記録領域を通った記録用紙Ｐを、直近にインクジェット記録ヘッド８ａと対向した面を内側にして湾曲させ、反転させて排出する為の経路である。
【００３６】
以下、記録搬送経路Ｒ１から、フェイスダウン排出経路Ｒ４、スイッチバック経路Ｒ２、反転経路Ｒ３、への経路切り換えについて図３、図４をも参照しつつ説明する。  
符号３１、３２は不図示の駆動源の動力を得て揺動するフラップ（経路切り替え部材）を示している。
【００３７】
フラップ３１は、記録用紙Ｐをフェイスダウン排出経路Ｒ４に案内する場合、図１に示す状態をとる。そしてフラップ３１は、記録の行われた記録用紙をスイッチバック経路Ｒ２に案内する場合、図２に示す状態をとる。第１面（おもて面）に記録の行われた記録用紙Ｐは、フラップ３１によってスイッチバック経路Ｒ２へと案内される。
【００３８】
スイッチバック経路Ｒ２に案内された記録用紙Ｐの先端は、図２に示すようにフェイスダウン排出トレイ４の側に一旦排出される。記録用紙Ｐの後端がフラップ３２の位置を通過し、搬送ローラー対２３の手前まで来ると、フラップ３２は図３に示す姿勢をとる。これにより記録用紙Ｐは、反転経路Ｒ３へと案内され、下方へと進む。  
反転経路Ｒ３へと案内された記録用紙Ｐは、搬送ローラー対２６を経由し、図４に示すように用紙カセット１０Ａからの用紙給送経路に合流して、レジストローラー対１７に再び到達する。
【００３９】
尚、反転経路Ｒ３を構成するガイド５０、５１は、開閉カバー６と一体に構成されている。これにより開閉カバー６を開くと、図１３に示すように反転経路Ｒ３が大きく露呈し、例えば反転経路Ｒ３において紙詰まりが生じた際にはこれを容易に処理することができる。  
尚、開閉カバー６は、図１３において二点鎖線及び符号６’で示すようにほぼ水平姿勢となるまで開放可能となっている。
【００４０】
また、図１４に示すように、記録搬送経路Ｒ１を構成する駆動プーリー３４、従動プーリー３５などを開閉カバー６と一体に構成しても良い。図１４はそのような構成の一例を示すものであり、開閉カバー６を開くと、記録搬送経路Ｒ１が大きく露呈し、例えば記録搬送経路Ｒ１において紙詰まりが生じた際にはこれを容易に処理することができる。  
また、他の実施形態として、図１３に示したように開閉カバー６を開くことにより反転経路Ｒ３が露呈するように構成するとともに、更に開閉カバー６の内側に第２の開閉体（不図示）を設け、当該第２の開閉体を開くことで記録搬送経路Ｒ１が露呈するように構成しても良い。
【００４１】
続いて、以下ではストレート搬送排出経路Ｒ５について説明する。ストレート搬送排出経路Ｒ５は、用紙カセット１０Ａから記録搬送経路Ｒ１に向かう用紙給送経路と交差する経路であって、本実施形態では湾曲の少ないほぼ直線状の用紙搬送経路であり、且つ水平方向に沿った経路である。図１に示すようにストレート搬送排出経路Ｒ５は、第２の姿勢にあるインクジェット記録ヘッド８ａの下を通り、その上流側及び下流側に延びる。本実施例では便宜上、ストレート搬送排出経路Ｒ５は、手差しトレイ５２〜排出トレイ５９までの区間とする。
【００４２】
手差しトレイ５２から送り出された用紙等の被搬送媒体は、搬送ローラー対１８、１９を経てインクジェット記録ヘッド８ａの下に送られる。尚、搬送ローラー対１８は、上述したレジストローラー対１７と同様の構成、機能を備える。搬送ローラー対１９は、回転駆動される駆動ローラー１９ａと、従動回転する従動ローラー１９ｂとで構成される。  
そして記録の行われた用紙等の被搬送媒体は、搬送ローラー対２７、２８、２９によって排出方向（図面左方向）に送られ、排出トレイ５９に排出される。尚、排出トレイ５９は、直立した姿勢である収納姿勢（図１）と、水平方向に倒れた姿勢である展開姿勢（不図示）と、を取り得る様に、揺動可能に設けられている。
【００４３】
尚、給送手段により給送された用紙等の被搬送媒体が上方向に延びる記録搬送経路Ｒ１に送られるか、或いは水平方向に延びるストレート搬送排出経路Ｒ５に送られるかは、不図示の駆動源の動力を得て揺動するフラップ（経路切り替え部材）５３により選択される。このフラップ５３は、揺動軸５３ａを中心に揺動することで、本実施形態では図８、図９、図１０にそれぞれ示すような３種の姿勢を切り換え可能となっている。
【００４４】
図８はフラップ５３が最も下がった姿勢を示しており、この姿勢では、用紙カセット１０Ａ或いは手差しトレイ５２から給送された用紙等の被搬送媒体は、破線及び符号Ｐで示すように上向きの記録搬送経路Ｒ１へと送られる。  
図９はフラップ５３の中間姿勢を示しており、この姿勢では、用紙等の被搬送媒体は破線及び符号Ｐで示すように反転経路Ｒ３から記録搬送経路Ｒ１へと送られる。
【００４５】
図１０はフラップ５３が最も上がった姿勢を示しており、この姿勢では、用紙カセット１０Ａ或いは手差しトレイ５２から給送された用紙等の被搬送媒体は、破線及び符号Ｐで示すようにストレート搬送排出経路Ｒ５へと送られる。また、反転経路Ｒ３を経由した用紙等の被搬送媒体も、ストレート搬送排出経路Ｒ５へと送られる。  
以上が、プリンター１における用紙搬送経路の概要である。
【００４６】
尚、図１において符号９は各種制御を行う制御部を示している。制御部９は、インクジェット記録ヘッド８ａや不図示のモーターにより駆動される各種ローラーや、また各経路切り替え部材（フラップ）を制御し、また各種センサー（例えば記録用紙の通過を検出するセンサー）の検出状態に基づき必要な制御を行う。尚、図１において制御部９は概念的に示したものであり、実際には装置本体内の所定の位置に設けられた回路基板により構成される。
【００４７】
次いで、図５〜図７をも参照しつつ、インクジェット記録ヘッド８ａを備えるヘッドユニット８の動作について説明する。  
ヘッドユニット８即ちインクジェット記録ヘッド８ａは、図１〜図４に示した位置、即ち上方向（本実施形態ではほぼ鉛直上方向）に搬送される記録用紙Ｐに対し、液体の一例であるインクを吐出する第１の姿勢（図１〜図４において実線で示す姿勢）と、当該第１の姿勢におけるインク吐出方向と交差する方向にインクの吐出が可能な第２の姿勢（図１〜図４において仮想線及び符号８’、８ａ’で示す姿勢）と、を切り換え可能に構成されている。また図６、図１０は、ヘッドユニット８及びインクジェット記録ヘッド８ａとが第２の姿勢にある状態を示している。
【００４８】
本実施形態では、インクジェット記録ヘッド８ａが第１の姿勢にあるとき、インク吐出方向はほぼ水平方向となり、第２の姿勢にあるとき、インク吐出方向はほぼ鉛直下方向となる。
【００４９】
図５、図６において２点鎖線Ｔは、ヘッドユニット８の移動軌跡を示している。図１〜図４において実線で示すインクジェット記録ヘッド８ａの第１の姿勢から、ヘッドユニット８が記録搬送経路Ｒ１から遠ざかる方向に移動する（図５）。その後、ヘッドユニット８はインクジェット記録ヘッド８ａが下を向くように回転し、鉛直下方に変位して、インクジェット記録ヘッド８ａが第２の姿勢をとる（図６）。  
尚、第２の姿勢から第１の姿勢へは、上記とは逆の動きとなる。
【００５０】
第２の姿勢をとるインクジェット記録ヘッド８ａと対向する位置には、ストレート搬送排出経路Ｒ５が設けられている。具体的には、第２の姿勢をとるインクジェット記録ヘッド８ａと対向する位置には、プラテン３７が設けられている。プラテン３７は、インクジェット記録ヘッド８ａと対向する位置において用紙等の被搬送媒体を支持するとともに、被搬送媒体とインクジェット記録ヘッド８ａとの距離を規定する。
【００５１】
従ってインクジェット記録ヘッド８ａが第２の姿勢をとる場合、ストレート搬送排出経路Ｒ５を搬送される用紙等の被搬送媒体に対して記録を実行可能となる。尚、インクジェット記録ヘッド８ａが第１の姿勢にある場合と第２の姿勢にある場合とでは、用紙進行方向に対するノズル列の配置が逆となるので、本実施例では制御部９におけるソフトウェア処理によって整合をとる様に構成している。但し、他の実施形態として、例えばストレート搬送排出経路Ｒ５における用紙搬送方向を、図１における右側から左側への向きではなく、左側から右側への向きとなるように構成すれば、インクジェット記録ヘッド８ａが第１の姿勢にある場合と第２の姿勢にある場合とで用紙進行方向に対するノズル列の配置を同じにすることができる。この場合、手差しトレイ５２と排出トレイ５９とが入れ替わるような配置となる。
【００５２】
尚、符号７Ａ、７Ｂは、インクミストを吸引する吸引部を示している。吸引部７Ａ、７Ｂは、吸引ファンなどにより構成される。吸引部７Ａは記録搬送経路Ｒ１用として設けられ、吸引部７Ｂはストレート搬送排出経路Ｒ５用として設けられている。記録用紙は高速でインクジェット記録ヘッド８ａと対向する領域を通過するので、浮遊するインクミストはインクジェット記録ヘッド８ａの下流側に流れやすい。前記吸引部７Ａ、７Ｂは、インクジェット記録ヘッド８ａに対し用紙搬送方向下流に設けられているので、効率的にインクミストを吸引することができる。尚、吸引部をヘッドユニット８と一体に構成し、ヘッドユニット８と一体となって姿勢変化するように構成しても良い。
【００５３】
続いて図７を参照しつつ、ヘッドユニット８を移動させる移動機構３９について説明する。ガイドレール４４は第１ガイド部としての水平ガイド部４４ａと、第２ガイド部としての垂直ガイド部４４ｂと、水平ガイド部４４ａと垂直ガイド部４４ｂとを接続する曲線ガイド部４４ｃとを備えている。
【００５４】
一方、ヘッドユニット８には、被ガイド部４５と、回転部４７とが設けられている。被ガイド部４５は、複数の駆動ローラー４６を備え、これら複数の駆動ローラー４６によってガイドレール４４を挟持した状態に構成されている。駆動ローラー４６は不図示のモーターにより回転駆動され、これにより被ガイド部４５がガイドレール４４を走行する。即ち、ヘッドユニット８が、ガイドレール４４に案内されて第１の姿勢と第２の姿勢とを切り換え可能となっている。
【００５５】
回転部４７は不図示の駆動源から動力を受けて、ヘッドユニット８を被ガイド部４５に対して相対的に回転させる。これによりインクジェット記録ヘッド８ａは、図７（Ａ）から図７（Ｂ）への変化に示す様に、水平方向から鉛直下方向に吐出方向を切り換えることができる様になっている。
【００５６】
続いて、キャップユニット４０について説明する。ストレート搬送排出経路Ｒ５においては、プラテン３７とキャップユニット４０とが入れ替わることができるように構成されている。これによりプラテン３７がインクジェット記録ヘッド８ａと対向する状態では、用紙等の被搬送媒体に記録を行うことができ、キャップユニット４０がインクジェット記録ヘッド８ａと対向する状態では、インクジェット記録ヘッド８ａのメンテナンスを行うことができる。
【００５７】
以下、図１１、図１２を参照しつつ更に詳説する。キャップユニット４０は、キャップ４１と、ワイパー４２とを備えて成る。キャップユニット４０は、不図示の動力源により、第２の姿勢をとるインクジェット記録ヘッド８ａのヘッド面（ほぼ水平面）に対し直交する方向（水平方向：図１１において左右方向）に移動可能に設けられている。この動作により、ワイパー４２がインクジェット記録ヘッド８ａのヘッド面を払拭する。尚、搬送ローラー対２７や用紙搬送経路を構成するガイド部材等が、キャップユニット４０の上記移動領域から退避できるように、不図示の退避手段によって退避可能に構成されている。
【００５８】
キャップ４１は、第２の姿勢をとるインクジェット記録ヘッド８ａを封止し、インク吐出ノズル（不図示）の乾燥を防止する。また、キャップ４１内にはインク吸収材（不図示）が設けられており、第２の姿勢をとるインクジェット記録ヘッド８ａからキャップ４１内にインクの吐出、即ちフラッシングが行われる。  
キャップ４１は不図示のポンプと接続されており、キャップ４１がインクジェット記録ヘッド８ａを封止した状態でポンプが稼働することにより、キャップ４１内に負圧が形成され、インク吐出ノズル（不図示）からインクの吸引が行われる。
【００５９】
以上説明したキャップユニット４０とプラテン３７との入れ替えは、図１２に示す移動機構５４Ａ、５４Ｂにより行われる。図１２（Ａ）において、プラテン３７の両端部（用紙幅方向（紙面表裏方向）における両端部）に設けられたボス５６が、ガイド部材５５に設けられたガイド溝５５ａに案内されることで、プラテン３７がインクジェット記録ヘッド８ａに対して進退移動する。尚、不図示の駆動プーリー、従動プーリー、及びこれらプーリーに掛け回された無端ベルトが設けられており、当該無端ベルトの一部にプラテン３７が固定されている。不図示のモーターから動力を受けて駆動プーリー即ち無端ベルトが回転することで、プラテン３７が実線で示す位置と仮想線及び符号３７’で示す位置との間を変位する。
【００６０】
同様に、図１２（Ｂ）において、キャップユニット４０の両端部（用紙幅方向（紙面表裏方向）における両端部）に設けられたボス５８が、ガイド部材５７に設けられたガイド溝５７ａに案内されることで、キャップユニット４０がインクジェット記録ヘッド８ａに対して進退移動する。尚、不図示の駆動プーリー、従動プーリー、及びこれらプーリーに掛け回された無端ベルトが設けられており、当該無端ベルトの一部にキャップユニット４０が固定されている。不図示のモーターから動力を受けて駆動プーリー即ち無端ベルトが回転することで、キャップユニット４０が実線で示す位置と仮想線及び符号４０’で示す位置との間を変位する。
【００６１】
尚、駆動機構５４Ａが備えるガイド部材５５と、駆動機構５４Ｂが備えるガイド部材５７とは、用紙幅方向における配置位置がずらされており、駆動機構５４Ａと駆動機構５４Ｂとが干渉しないように構成されている。  
以上の構成により、キャップユニット４０とプラテン３７との入れ替えが行われる。尚、キャップユニット４０とプラテン３７との入れ替えを行う為の構成は一例であり、その他種々の構成を採用することができる。
【００６２】
以上説明したようにプリンター１は、用紙等の被搬送媒体を載置する第１の媒体載置部としての用紙カセット１０Ａと、用紙カセット１０Ａから送り出された用紙等の被搬送媒体を湾曲させて上方に搬送する第１の搬送経路（用紙カセット１０Ａから記録搬送経路Ｒ１に至る経路及び記録搬送経路Ｒ１）と、用紙カセット１０Ａとは異なる第２の媒体載置部としての手差しトレイ５２と、手差しトレイ５２から送り出された用紙等の被搬送媒体を、上記第１の搬送経路とは交差する方向であって手差しトレイ５２から送り出された方向（図１では左方向）に搬送する第２の搬送経路としてのストレート搬送排出経路Ｒ５と、を備えている。  
そして、前記第１の搬送経路に搬送される用紙等の被搬送媒体と対向可能な第１の姿勢と、前記第２の搬送経路に搬送される用紙等の被搬送媒体と対向可能な第２の姿勢と、を切り換え可能に設けられた、用紙等の被搬送媒体に対してインクを吐出するインクジェット記録ヘッド８ａを備えている。
【００６３】
従ってこれにより、記録搬送経路Ｒ１から離れたスペースを有効活用することができる。即ち、第２の姿勢を利用して、前記第２の搬送経路を搬送される用紙等の被搬送媒体に記録を行ったり、或いはインクジェット記録ヘッド８ａをキャップ４１により封止することができる。そして前記第２の搬送経路は、手差しトレイ５２から送り出された方向に用紙等の被搬送媒体を搬送する搬送経路であるので、剛性の高い被搬送媒体や湾曲させたくない被搬送媒体などを適切に搬送することができる。
【００６４】
尚、インクジェット記録ヘッド８ａが第２の姿勢においてキャップユニット４０と対向しない構成であっても、記録搬送経路Ｒ１から離れたスペースを有効活用できるので、設計の自由度を向上させることができる。
【００６５】
またプリンター１は、前記第２の搬送経路において前記第２の姿勢のインクジェット記録ヘッド８ａと対向可能に構成された、用紙等の被搬送媒体を支持する媒体支持部としてのプラテン３７と、前記第２の姿勢のインクジェット記録ヘッド８ａをメンテナンスするメンテナンス部としてのキャップユニット４０と、プラテン３７とキャップユニット４０とを入れ替える移動機構３９とを備えている。
【００６６】
具体的には、移動機構３９はインクジェット記録ヘッド８ａを記録搬送経路Ｒ１に対し進退する方向にガイドする第１ガイド部としての水平ガイド部４４ａと、水平ガイド部４４ａと接続し、インクジェット記録ヘッド８ａの姿勢が第２の姿勢となる様にインクジェット記録ヘッド８ａをガイドする第２ガイド部としての垂直ガイド部４４ｂとを備えて成るガイドレール４４を有している。この様なガイドレール４４によって、安定してインクジェット記録ヘッド８ａの姿勢を切り換えることができる。
【００６７】
尚、水平ガイド部４４ａによってインクジェット記録ヘッド８ａが記録搬送経路Ｒ１に対し進退する動作を利用して、記録用紙Ｐの種類に応じてインクジェット記録ヘッド８ａと記録搬送経路Ｒ１との距離（インクジェット記録ヘッド８ａと搬送ベルト３３との距離）を変化させても良い。即ち、記録用紙Ｐが厚手の場合にはインクジェット記録ヘッド８ａと搬送ベルト３３との距離を相対的に長くする。これにより、適切な記録結果を得ることができる。
【００６８】
そして、この様に水平ガイド部４４ａを利用することで、インクジェット記録ヘッド８ａと搬送ベルト３３との距離を変化させる構成を別途設ける必要がなく、装置の簡素化と低コスト化を図ることができる。
【００６９】
以上説明した実施形態では、インクジェット記録ヘッド８ａを、ガイドレール４４を利用して移動させたが、図１５に示すように揺動支点８０ａを中心としたヘッドユニット８０の揺動により、インクジェット記録ヘッド８ａが第１の姿勢と第２の姿勢とを切り換える様に構成しても良い。
【００７０】
図１５において２点鎖線及び符号８０’は、インクジェット記録ヘッド８ａが実線で示す第１の姿勢から、矢印Ｋ方向に揺動し、第２の姿勢をとる際のヘッドユニットを示している。このように揺動支点８０ａを中心としたヘッドユニット８０の揺動により、インクジェット記録ヘッド８ａが第１の姿勢と第２の姿勢とを切り換えるので、簡易な構成で、インクジェット記録ヘッド８ａの姿勢を切り換えることができる。
【００７１】
尚、本実施形態では、インクジェット記録ヘッド８ａを備えるヘッドユニット８は、図１に示すように水平方向（図面左右方向）において用紙カセット１０Ａに対し用紙送り出し方向（図面右方向）端部の上方に位置している。  
また本実施形態では、インクジェット記録ヘッド８ａを備えるヘッドユニットは、図１に示すように水平方向（図面左右方向）において少なくとも一部が給送ローラー１２と同じ位置にある。
【００７２】
また、図１において符号６ａ、６ｂ、６ｃ、６ｄはインクカートリッジを示しており、符号５はこれら複数のインクカートリッジを収容するカートリッジ収容部を示している。カートリッジ収容部５とインクジェット記録ヘッド８ａとは、不図示のインクチューブを介して接続され、カートリッジ収容部５からインクジェット記録ヘッド８ａへとインクの供給が行われる。不図示のインクチューブは、インクジェット記録ヘッド８ａ（ヘッドユニット８）の変位動作に追従できるように取り回されている。不図示の制御基板と、インクジェット記録ヘッド８ａとを電気的に接続する不図示のフレキシブルフラットケーブルも同様である。
【００７３】
尚、カートリッジ収容部５は、装置高さ方向においてフェイスダウン排紙トレイ４と用紙カセット１０Ａとの間に位置している。また、カートリッジ収容部５は、水平方向（図１の左右方向）においてフェイスダウン排紙トレイ４の少なくとも一部と同じ位置にあるとともに、用紙カセット１０Ａの少なくとも一部と同じ位置にある。更に、カートリッジ収容部５は、水平方向（図１の左右方向）において手差しトレイ５２と排出トレイ５９との間に位置する。
【００７４】
以上説明した実施形態では、記録搬送経路Ｒ１において用紙が搬送ベルト３３により搬送される構成であったが、これに限られず、ストレート搬送排出経路Ｒ５のようにローラーにより搬送される構成であっても良い。尚、ストレート搬送排出経路Ｒ５においては、ヘッド対向領域をプラテン３７によって構成することで、キャップユニット４０と入れ替える為の構成を簡易にすることができる。
【符号の説明】
【００７５】
１  インクジェットプリンター、４  フェイスダウン排紙トレイ、５  カートリッジ収容部、６ａ〜６ｄ  インクカートリッジ、７Ａ、７Ｂ  吸引部、８  ヘッドユニット、８ａ  記録ヘッド、９  制御部、１０Ａ  用紙カセット、１１  ホッパー、１２  給送ローラー、１３  分離ローラー対、１４  搬送ローラー対、１５  給送ローラー、１６  分離ローラー、１７  レジストローラー対、１８〜２９  搬送ローラー対、３１  フラップ、３２  フラップ、３３  搬送ベルト、３４  駆動プーリー、３５  従動プーリー、３７  プラテン、３９  移動機構、４０  キャップユニット、４１  キャップ、４２  ワイパー、４４  ガイドレール、４４ａ  水平ガイド部、４４ｂ  垂直ガイド部、４５  被ガイド部、４６  駆動ローラー、４７  回転部、５０、５１  ガイド、５２  手差しトレイ、５２ａ  揺動軸、５３  フラップ、５４Ａ、５４Ｂ  移動機構、５５  ガイド部材、５５ａ  ガイド溝、５６  ボス、５７  ガイド部材、５７ａ  ガイド溝、５８  ボス、５９  排出トレイ、Ｆ  駆動ローラー、Ｇ  従動ローラー、Ｒ１  記録搬送経路、Ｒ２  スイッチバック経路、Ｒ３  反転経路、Ｒ４  フェイスダウン排出経路、Ｒ５  ストレート搬送排出経路、Ｐ  記録用紙、Ｓ１  カセット給送軌跡、Ｓ２  増設カセット給送軌跡、Ｓ３  手差し給送軌跡、Ｔ２  フェイスダウン排出軌跡
【図１】
2016124242.tif 000003
【図２】
2016124242.tif 000004
【図３】
2016124242.tif 000005
【図４】
2016124242.tif 000006
【図５】
2016124242.tif 000007
【図６】
2016124242.tif 000008
【図７】
2016124242.tif 000009
【図８】
2016124242.tif 000010
【図９】
2016124242.tif 000011
【図１０】
2016124242.tif 000012
【図１１】
2016124242.tif 000013
【図１２】
2016124242.tif 000014
【図１３】
2016124242.tif 000015
【図１４】
2016124242.tif 000016
【図１５】
2016124242.tif 000017